(57)【要約】【課題】  外観品位を損なうことなく、透過する光の色特性を変化させる光学アクセサリを発光部の前方に固定することができるようにする。【解決手段】  透過する光の色特性を変化させる光学アクセサリを発光部の前方に取り付け可能な照明装置であって、発光部の内部の上部に収納され、発光部の照射光の光軸方向に移動可能に保持された光学部材と、発光部の上面に設けられた、収納された状態の光学部材を引き出す際の指掛かりに用いられる突起部と、を有し、突起部は、光学アクセサリの上部に設けられた凹部に嵌め込まれることで、光学アクセサリを照明装置に固定する。【選択図】  図２
2013171075.tif 000002
【特許請求の範囲】
【請求項１】
透過する光の色特性を変化させる光学アクセサリを発光部の前方に取り付け可能な照明装置であって、
前記発光部の内部の上部に収納され、前記発光部の照射光の光軸方向に移動可能に保持された光学部材と、
前記発光部の上面に設けられた、収納された状態の前記光学部材を引き出す際の指掛かりに用いられる突起部と、を有し、
前記突起部は、前記光学アクセサリの上部に設けられた凹部に嵌め込まれることで、前記光学アクセサリを前記照明装置に固定することを特徴とする照明装置。
【請求項２】
前記突起部は、前記発光部の照射光の光軸に略直交する方向に並んだ複数の突起を有することを特徴とする請求項１に記載の照明装置。
【請求項３】
前記発光部の下面に設けられた固定部を有し、
前記光学アクセサリは、保持したカラーフィルタによって透過する光の色特性を変化させるものであって、
前記固定部は、前記光学アクセサリの下部に設けられた、カラーフィルタを挟み込んで保持する突起部を嵌め込んで、前記光学アクセサリを前記照明装置に固定することを特徴とする請求項１または２に記載の照明装置。
【請求項４】
前記光学部材は、前記発光部の照射光を通過させることで当該照射光の照射範囲を拡大する照射範囲拡大部材であることを特徴とする請求項１ないし３のいずれか１項に記載の照明装置。
【請求項５】
前記光学部材は、前記発光部の照射光を反射させる反射部材であることを特徴とする請求項１ないし３のいずれか１項に記載の照明装置。
【発明の詳細な説明】
【技術分野】
【０００１】
本発明は、透過する光の色特性を変化させる光学アクセサリを発光部の前方に取り付け可能な照明装置に関する。
【背景技術】
【０００２】
一般に、カメラで用いられるストロボ装置等の照明装置においては、その光源としてキセノン管等の放電管が用いられている。キセノン管を用いたストロボ装置における照射光（ストロボ光）の色温度は、太陽光付近（６０００Ｋ）に設定されている。このため、当該色温度と異なる色温度の環境下において、ストロボ装置を用いて撮影を行うと不自然な色の撮像画像となってしまうことがある。
【０００３】
そこで、特許文献１では、ストロボ装置の発光部の前方にカラーフィルタ等の光学アクセサリを取り付けたフィルタホルダを装着して、ストロボ装置の照射光の色温度を変更する技術を提案している。
【先行技術文献】
【特許文献】
【０００４】
【特許文献１】特開２００９−２０２９８号公報
【発明の概要】
【発明が解決しようとする課題】
【０００５】
しかしながら、上述の特許文献１では、フィルタホルダはストロボ装置のヘッド部の照射方向先端部に被せて使用されるカップ状の部材と記載されているだけであって、フィルタホルダをストロボ装置にどのように固定するかについて明確に記載されていない。カップ状のフィルタホルダをヘッド部に被せただけでは、フィルタホルダがヘッド部から容易に外れてしまう。
【０００６】
そこで、フィルタホルダがヘッド部から容易に外れてしまわないように、ヘッド部の上面にフィルタホルダを固定するための固定部を設けることが考えられる。しかしながら、このようなフィルタホルダを固定するためだけの固定部はストロボ装置単体でみれば不要のものであり、発光部の上面はストロボス装置の中で比較的目立つ場所であるため、固定部を設けることでストロボ装置の外観品位を損なってしまう。
【０００７】
そこで、本発明は、外観品位を損なうことなく、透過する光の色特性を変化させる光学アクセサリを発光部の前方に固定することができるようにすることを目的とする。
【課題を解決するための手段】
【０００８】
上記の目的を達成するために、本発明に係る照明装置は、透過する光の色特性を変化させる光学アクセサリを発光部の前方に取り付け可能な照明装置であって、前記発光部の内部の上部に収納され、前記発光部の照射光の光軸方向に移動可能に保持された光学部材と、前記発光部の上面に設けられた、収納された状態の前記光学部材を引き出す際の指掛かりに用いられる突起部と、を有し、前記突起部は、前記光学アクセサリの上部に設けられた凹部に嵌め込まれることで、前記光学アクセサリを前記照明装置に固定することを特徴とする。
【発明の効果】
【０００９】
本発明によれば、外観品位を損なうことなく、透過する光の色特性を変化させる光学アクセサリを発光部の前方に固定することができる。
【図面の簡単な説明】
【００１０】
【図１】本発明の実施形態に係る撮像システムの構成を示すブロック図である。
【図２】フィルタホルダ１０を前方に取り付けた状態の発光部３５０の断面図である。
【図３】発光部３５０の上面を取り除いた図である。
【図４】ワイドパネル３０の取り出し方法を説明する図である。
【図５】カラーフィルタ１６を装着したフィルタホルダ１０を発光部３５０に取り付ける前の状態を示す図である。
【発明を実施するための形態】
【００１１】
以下に、本発明の好ましい実施の形態を、添付の図面に基づいて詳細に説明する
図１は、本実施形態に係わる撮像システムの構成を示すブロック図である。本実施形態に係わる撮像システムは、撮像装置であるカメラ本体１００、カメラ本体１００に着脱可能なレンズユニット２００、撮像装置に着脱可能な照明装置であるストロボ装置３００を有している。なお、ストロボ装置３００は、後述する光学アクセサリであるフィルタホルダ１０が発光部３５０の前方に着脱可能であって、ストロボ装置３００にフィルタホルダ１０を装着したものを以下では照明システムとする。
【００１２】
まず、カメラ本体１００内の構成について説明する。カメラマイコン（ＣＣＰＵ）１０１は、カメラ本体１００の各部を制御する。カメラマイコン１０１は、例えば、ＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータ等を含むマイコン内蔵ワンチップＩＣ回路構成となっている。
【００１３】
撮像素子１０２は、赤外カットフィルタやローパスフィルタ等を含むＣＣＤやＣＭＯＳ等の撮像素子である。シャッタ１０３は、非撮影時には撮像素子１０２を遮光し、撮影時には撮像素子１０２へ光束を導くように駆動する。
【００１４】
主ミラー（ハーフミラー）１０４は、非撮影時に後述するレンズ群２０２より入射する光の一部を反射しピント板１０５に結像させる。ピント板１０５上の像は、ペンタプリズム１１４を介して光学ファインダー１１６等に導かれ被写体の合焦状態を確認するために用いられる。
【００１５】
測光回路１０６は、撮影画面内を複数の測光領域に分割しそれぞれの測光領域で測光を行う測光センサ（ＡＥセンサ）を有している。焦点検出回路１０７は、撮影画面内に複数の測距点を備えた焦点検出センサ（ＡＦセンサ）を有している。
【００１６】
ゲイン切換え回路１０８は、撮像素子１０２からの信号の増幅ゲインを切換えるものであって、撮影条件や後述する充電電圧条件によるレベル設定、撮影者の入力等によりカメラマイコン１０１がゲインの切換えを行う。
【００１７】
Ａ／Ｄコンバータ１０９は、増幅された撮像素子１０２からのアナログ信号をデジタル信号に変換する。タイミングジェネレータ（ＴＧ）１１０は、撮像素子１０２からの信号とＡ／Ｄコンバータ１０９の変換タイミングを同期させるために用いられる。
【００１８】
デジタル信号処理回路１１１は、Ａ／Ｄコンバータ１０９でデジタル信号に変換された画像データに対し、ホワイトバランス制御を含む画像処理を行う。
【００１９】
信号ラインＳＣは、カメラ本体１００とレンズユニット２００及びストロボ装置３００とのインタフェースの信号ラインである。例えば、カメラマイコン１０１をホストとしてデータの交換やコマンドの伝達を相互に行う。
【００２０】
入力部１１２は、撮影動作を開始させるためのレリーズスイッチなどの各種操作部が含まれる。例えば液晶装置や発光素子などからなる表示部１１３は、各種設定や撮影情報などを表示する。
【００２１】
ペンタプリズム１１４は、レンズ群２０２より入射し主ミラー１０４によって反射された光束を測光回路１０６内のＡＥセンサ及び光学ファインダー１１６に導く。
【００２２】
サブミラー１１５は、レンズ群２０２より入射し主ミラー１０４の中央の半透明部を透過した光束を焦点検出回路１０７のＡＦセンサへ導く。
【００２３】
次に、レンズユニット２００内の構成と動作について説明する。レンズマイコン（ＬＰＵ）２０１は、レンズユニット２００の各部の動作を制御する。レンズマイコン２０１は、例えばＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータ等を含むマイコン内蔵ワンチップＩＣ回路構成となっている。
【００２４】
レンズ群２０２は、複数枚のレンズで構成されていて、レンズ駆動部２０３は、レンズマイコン２０１からの焦点調節、焦点距離の変更などの指示に応じてレンズ群２０２を移動させる。
【００２５】
エンコーダ２０４は、レンズ群２０２の位置あるいはレンズ群２０２の駆動量を検出する。エンコーダ２０４の位置情報あるいは駆動情報をレンズマイコン２０１からカメラマイコン１０１に送信することにより、カメラマイコン１０１は、撮影時の被写体距離に関する情報を取得できる。絞り２０５は、開口径を変更して撮像素子１０２に入射する光量を調節するものであって、絞り制御回路２０６を介してレンズマイコン２０１により制御される。
【００２６】
次に、照明装置としてのストロボ装置３００の構成について説明する。電池３０１は、ストロボ装置の電源（ＶＢＡＴ）を供給するためのものであり、昇圧回路３０２は電池３０１の電圧を数百Ｖに昇圧し主コンデンサ３０３の充電を行う。主コンデンサ３０３の充電電圧は、電圧検出回路３１３において抵抗３０４、抵抗３０５により分圧され、分圧された電圧はストロボマイコン３１０に入力される。すなわち、電圧検出回路３１３は、主コンデンサ３０３の両端に接続され主コンデンサの電圧を検出する。
【００２７】
トリガ回路３０６は、ストロボマイコン３１０に接続され、放電管３０７発光時にストロボマイコン３１０よりトリガ信号を受けるとトリガ電圧を出力する。放電管３０７は、トリガ回路３０６から印加される数ＫＶのトリガ電圧を受け励起することで主コンデンサ３０３に充電されたエネルギーを用いて発光する主光源である。
【００２８】
発光制御回路３０８は、トリガ回路３０６からのトリガ電圧により放電管３０７の発光の開始を制御し、後述のＡＮＤゲート３１１の出力により発光の停止を制御する。積分回路３０９は、フォトダイオード３２３が放電管３０７の照射光を受光して生じる電流を積分する積分回路であり、積分回路３０９の出力は、コンパレータ３１２の反転入力端子とストロボマイコン３１０に入力される。
【００２９】
ストロボマイコン（ＦＰＵ）３１０は、ストロボ装置３００の各部の動作を制御する。ストロボマイコン３１０は、例えばＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄコンバータ、Ｄ／Ａコンバータ等を含むマイコン内蔵ワンチップＩＣ回路構成となっている。また、ストロボマイコン３１０は、後述するようにしてフィルタホルダ１０の装着の有無の判別及びカラーフィルタ１６の色特性の判別を行う。
【００３０】
コンパレータ３１２は、非反転入力がストロボマイコン３１０に接続され、出力がＡＮＤゲート３１１に接続されている。ＡＮＤゲート３１１は、コンパレータに接続されていない入力がストロボマイコン３１０に接続され、出力が発光制御回路３０８に接続されている。このようにして、積分回路３０９の積分レベルとストロボマイコン３１０により設定された基準レベルとを比較して、積分回路３０９の積分レベルが基準レベルに達すると発光の停止を制御する。
【００３１】
反射傘３１５は、放電管３０７から照射された光を発光部３５０の照射方向へと反射する。光学系３１６は、放電管３０７から照射された光のムラを軽減するとともに放電管３０７から照射された光の照射範囲を広げる、光を透過する透明なモールド部材等により構成されたフレネルレンズなどの照射部である。入力部３２０は、ストロボ装置３００の設定などを入力するための各種操作部を含んでいる。表示部３２１は、ストロボ装置３００の各種状態などを表示する。
【００３２】
ホルダ判別部３２２は、発光部３５０に対して着脱可能なフィルタホルダ１０が装着されているか否かを判別するためのものであり、ホルダ判別部３２２の検出結果に基づいて、ストロボマイコン３１０がフィルタホルダ１０の装着の有無の判別を行う。
【００３３】
フォトダイオード３２３は、前述したように放電管３０７の照射光を受光するセンサであり、直接またはグラスファイバーなどを介して放電管３０７の照射光を受光する。フォトダイオード３２３が出力する電流は前述したように積分回路３０９にて積分される。
【００３４】
フィルタ判別部３２４は、フィルタホルダ１０に図２のように保持されたカラーフィルタ１６の色特性を判別するためのものであり、フィルタ判別部３２４の検出結果に基づいて、ストロボマイコン３１０がカラーフィルタの色特性の判別を行う。
【００３５】
発光部３５０は、主に放電管３０７、反射傘３１５、光学系３１６、ホルダ判別部３２２の検出系、フィルタ判別部３２４の検出系を含んだブロックであり、バウンス撮影のためにストロボ装置本体と不図示のヒンジ機構で結合しており上下方向に回動可能である。
【００３６】
次に、図２を用いて発光部３５０を詳細に説明する。図２は、フィルタホルダ１０を前方に取り付けた状態の発光部３５０の縦断面図である。
【００３７】
発光部３５０の内部の上部に設けられた収納室２は、後述するワイドパネル３０やワイドパネル保持部材７、不図示のキャッチライトシートなどを収納するためのスペースとなっている。
【００３８】
フィルタホルダ１０は、無色透明のアクリル材などでできており、発光部３５０の前方に装着して固定することができる。
【００３９】
カラーフィルタ１６は、透過した光の色特性を変化させる薄いＰＥＴ材などでできたフィルム状のものであって、カラーフィルタ１６を保持したフィルタホルダ１０を発光部３５０に装着することで、発光部３５０の照射光の色特性を変化させることができる。なお、フィルタホルダ１０には、カラーフィルタ１６として様々な色のフィルタが取り付け可能であり、フィルタホルダ１０に取り付けるフィルタを変えることで、発光部３５０の照射光の色特性を様々に変化させることができる。
【００４０】
ワイドパネル３０は、無色透明のアクリル材等でできた、照射光を通過させることで照射光の照射範囲を拡大する照射範囲拡大部材である。
【００４１】
ワイドパネル保持部材７は、ワイドパネル３０を発光部３５０の照射光の光軸方向に移動可能に保持していて、ワイドパネル３０を収納室２に対して挿抜可能にしている。また、ワイドパネル保持部材７は、収納室２から引き出されたワイドパネル３０が光学系３１６の前面に位置するように、ワイドパネル３０を回動可能に保持している。
【００４２】
次に、図３及び図４を用いてワイドパネル３０の収納室２に対する挿抜について説明する。図３は、発光部３５０の上面を取り除いた図であり、図３（ａ）は、ワイドパネル３０が収納室２に収納された状態を示しており、図３（ｂ）は、ワイドパネル３０が光学系３１６の前面に位置している状態を示している。
【００４３】
ワイドパネル３０の未使用時には、図３（ａ）に示すように、ワイドパネル３０は収納室２内に収納されている。この状態では、ワイドパネル３０の光学系３１６側の端面とその端面に設けられた指掛け部３０ａが、光学系３１６の上に設けられた収納室２の開口部２ｃから外部に露出している。このとき、ワイドパネル保持部材７のクリック部７ａは、収納室２内の突起部２ａに係止されていて、ワイドパネル３０が自重や衝撃等で飛び出さないように保持されている。
【００４４】
撮影者がワイドパネル３０を引き出して使用する際には、図４に示すように撮影者がワイドパネル３０の指掛け部３０ａに親指をかけ、後述のフィルタホルダ１０の保持のために発光部３５０の上面に設けられた突起部３５０ｂに人差し指を当てる。その人差し指を支えとして親指でワイドパネル３０の引出し方向に親指を動かしてワイドパネル３０を引き出す。そうすることで、ワイドパネル保持部材７のクリック部７ａが突起部２ａから外れ、ワイドパネル３０が収納室２から引き出される。
【００４５】
このように、発光部３５０の上面に突起部３５０ｂが設けられているので、発光部３５０の内部の収納室２に収納されているワイドパネル３０を収納室２から容易に引き出すことができる。なお、突起部３５０ｂを、発光部３５０の照射光の光軸に略直交する方向に並んだ円柱形の複数の突起とすることで、単一の突起を設けるよりも撮影者の指が掛かりやすい。
【００４６】
ワイドパネル３０が最も引出された位置になると、図３（ｂ）に示すように、ワイドパネル保持部材７は、収納室２内のストッパー受け部２ｂにストッパー部７ｂが当接する。そして、ワイドパネル３０はワイドパネル保持部材７に対して回動可能に保持されており、さらに付勢バネ８によって光学系３１６側に回動するように付勢されているため、図３（ｂ）に示すように、光学系３１６の前面に位置するようになる。このような状態で放電管３０７を発光させると、光学系３１６を透過した光はワイドパネル３０によって照射角度が拡げられ、ワイドパネル３０の非使用時よりも広範囲に放電管３０７の光を照射することができる。
【００４７】
次に、図２及び図５を用いて、カラーフィルタ１６のフィルタホルダ１０への取り付け、及び、フィルタホルダ１０の発光部３５０への取り付けについて説明する。図５は、カラーフィルタ１６を装着したフィルタホルダ１０を発光部３５０に取り付ける前の状態を示している。
【００４８】
カラーフィルタ１６は、フィルタホルダ１０の上部に設けられたスリット３２に差し込まれた状態でフィルタホルダ１０の下部に設けられた突起部２９のフック形状部分２９ａで挟み込まれることで、フィルタホルダ１０に保持される。なお、フィルタホルダ１０を透明で、かつオレンジや緑といった色がついたアクリル材等にすることで、カラーフィルタを装着することなく１つの部品で透過する光の色特性を変化させる光学アクセサリとして機能させることも可能である。その場合、フィルタホルダ１０はカラーフィルタ１６を保持しなくてもよいため、突起部２９にフック形状部分２９ａが設けられていなくてもよい。
【００４９】
図１に示すように、発光部３５０の下面には、フィルタホルダ１０を発光部３５０に固定するための固定部である凹部３５０ａが設けられている。この凹部３５０ａに対して、フィルタホルダ１０の下部に設けられた、カラーフィルタ１６の保持に用いる突起部２９が嵌め込まれる。
【００５０】
一方、図５に示すように、発光部３５０の上面には、ワイドパネル３０を引き出すときの指掛かりとして用いられる突起部３５０ｂが設けられている。この突起部３５０ｂが、フィルタホルダ１０の上部に設けられた、フィルタホルダ１０を発光部３５０に固定するための固定部である凹部１０ｂに嵌め込まれる。
【００５１】
フィルタホルダ１０を発光部３５０に取り付ける際には、突起部３５０ｂを凹部１０ｂに嵌め込んでから、フィルタホルダ１０を発光部３５０側に凹部１０ｂを回動中心にして回動させていく。すると、フィルタホルダ１０の下部に設けられた撓み部６ｅの先端側が撓んで、突起部２９が発光部３５０の下面に当接しながら凹部３５０の方向に移動する。突起部２９が凹部３５０ａの位置に達すると、突起部２９が凹部３５０ａに嵌め込まれ、フィルタホルダ１０が発光部３５０に対して上部と下部の両方で固定される。
【００５２】
なお、図５に示すように、フィルタホルダ１０の凹部１０ｂの端から外周面までの距離Ｘは、発光部３５０に設けられた突起部３５０ｂの突起同士の間の隙間Ａに対して、Ｘ＞Ａとして構成をする。
【００５３】
そうすることで、フィルタホルダ１０が突起部３５０ｂの複数の突起の並び方向にずれて組み付けられないようになり、組み間違えた状態での使用を防止することできる。
【００５４】
以上のように、発光部３５０の内部に収納されたワイドパネル３０を引き出す際に指掛かりとして用いる突起部３５０ｂを、フィルタホルダ１０を発光部３５０に固定するための固定部と兼用することで、発光部３５０の上面の外観品位を損なうことがない。
【００５５】
なお、突起部３５０ｂは、ワイドパネル３０を引き出す際だけでなく、バウンス撮影時に照射光を被写体に向けて反射してキャッチライト効果を得ることができる反射部材であるキャッチライトシートを引き出す際の指掛かりとして用いてもよい。また、発光部３５０の内部の上面に設けられた収納室から引き出し可能なものであれば、その他の光学部材を引き出す際の指掛かりとして用いても構わない。
【００５６】
以上、本発明の好ましい実施形態について説明したが、本発明はこれらの実施形態に限定されず、その要旨の範囲内で種々の変形及び変更が可能である。
【符号の説明】
【００５７】
２  収納室
３  ワイドパネル
７  ワイドパネル保持部材
１０  フィルタホルダ
１６  カラーフィルタ
３００  ストロボ装置
３１６  光学系
３５０  発光部
【図１】
2013171075.tif 000003
【図２】
2013171075.tif 000004
【図３】
2013171075.tif 000005
【図４】
2013171075.tif 000006
【図５】
2013171075.tif 000007